(57)【特許請求の範囲】
【請求項１】
ケース本体部材及び前記ケース本体部材の前方に開閉可能に装着されるケース蓋部材を備え、前記ケース本体部材に前記ケース蓋部材を装着して前記ケース本体部材の前面を覆うように閉止したケース閉止状態で形成されるケース内部に、遊技機に搭載された電子部品を制御する制御基板を収容する基板ケースにおいて、
前記ケース本体部材に設けられ、前記ケース閉止状態において前記ケース蓋部材と対向する前記ケース本体部材の前面側に開口する本体側収容部が形成された本体側係合部と、
前記ケース蓋部材を前後に貫通して設けられ、前記ケース閉止状態において前記本体側収容部と前後に整合する蓋側収容部が形成された蓋側係合部と、
前後に延びる軸部及び該軸部が前記蓋側収容部を挿通して装着された状態において前記ケース蓋部材の前面側に突出して配設される操作部を有し、前記蓋部材の前方から前記軸部の軸線を中心とした回動操作及び後方への移動操作が可能に配設されたロック部材とを備え、
前記ロック部材が、
前記ケース蓋部材を前記ケース本体部材の前方に開放したケース開放状態において、前記軸部の後端側が前記蓋側収容部に収容された状態で前後移動が規制されるアンロック位置と、前記軸部の後端側を前記蓋側収容部から突出させて後方に移動可能なロック待機位置との角度範囲で回動可能に前記蓋側収容部に支持されるとともに、
前記ケース閉止状態においては、前記軸部の後端側が前記蓋側収容部に収容された前記ロック待機位置と、前記軸部の後端側を前記蓋側収容部から後方に所定量突出させて前記軸部に設けられた軸側係合部を前記本体側収容部に設けられた収容側係合部に係合させ、前記本体側係合部と前記蓋側係合部とを連結状態に保持するロック位置との間で前後移動可能に配設されるように構成したことを特徴とする基板ケースの不正開放防止機構。
【請求項２】
前記本体側収容部及び前記ロック部材に、前記ケース閉止状態において前記ロック部材の回動を規制する回動規制手段が設けられ、
前記ケース閉止状態において、前記アンロック位置にある前記ロック部材が回動および前後移動が規制された状態で前記ケース蓋部材に保持されるように構成したことを特徴とする請求項１に記載の基板ケースの不正開放防止機構。
【請求項３】
前記回動規制手段は、
前記本体側収容部の内方に突出して前後に延び前端が前記本体側係合部の前面から前方に突出して形成された規制凸部と、
前記軸部の後端部に形成され、前記ロック部材が前記アンロック位置に位置する状態で前記ケース蓋部材が閉止されたときに前記規制凸部の前端部を受容する第１規制凹部、及び前記ロック部材が前記ロック待機位置に位置する状態で前記ケース蓋部材が閉止されたときに前記規制凸部の前端部を受容する第２規制凹部とからなり、
前記ケース閉止状態において、前記規制凸部と前記第１規制凹部または第２規制凹部とが係合して前記ロック部材の回動が規制されるように構成したことを特徴とする請求項２に記載の基板ケースの不正開放防止機構。
【請求項４】
前記第２規制凹部と繋がって前記軸部の外面を後端から前方に延びる凹溝状のガイド凹部を備え、
前記ケース閉止状態において前記ロック部材が前記ロック待機位置から後方に移動したときに前記規制凸部と前記ガイド凹部とが係合し、前記ロック部材の回動を規制しつつ前後移動を許容するように構成したことを特徴とする請求項３に記載の基板ケースの不正開放防止機構。
【請求項５】
前記ケース本体部材及び前記ケース蓋部材は、前記ケース本体部材に対して前記ケース蓋部材を開閉可能な開閉位置と、前記ケース蓋部材が前記ケース本体部材の前面を覆って前記本体側収容部と前記蓋側収容部とが前後に整合し前記ケース本体部材に対して前記ケース蓋部材が前記ケース閉止状態で開閉不能となる閉止位置との間で、前記軸部の軸直行方向にスライド変位可能に接続され、
前記第１規制凹部は、前記ロック部材がアンロック位置に位置する状態で前記ケース蓋部材がスライド変位された場合に前記規制凸部の相対移動を許容する凹溝状に形成され、前記第２規制凹部は、前記ロック部材が前記ロック待機位置に位置する状態で前記ケース蓋部材がスライド変位された場合に前記規制凸部の相対移動を許容する凹溝状に形成され、
前記ロック部材が前記アンロック位置または前記ロック待機位置以外の角度位置に位置する状態で前記ケース蓋部材が前記スライド変位された場合には、前記規制凸部が前記軸部の後端部と当接して前記閉止位置にならないように構成したことを特徴とする請求項３または請求項４に記載の基板ケースの不正開放防止機構。
【請求項６】
前記操作部は、前記ロック部材の前方から当該ロック部材の回動角度位置を視覚により判別可能な識別手段を備えることを特徴とする請求項１から請求項５のいずれか一項に記載の基板ケースの不正開放防止機構。
【発明の詳細な説明】
【技術分野】
【０００１】
本発明は、パチンコ機やスロットマシン等の遊技機において遊技機に搭載された電子部品を制御する制御基板を収容する基板ケースに関し、更に詳細には、制御基板を収容した基板ケースの不正な開放操作を防止する不正開放防止機構に関する。
【背景技術】
【０００２】
上記のような遊技機には、遊技機に搭載された電子部品の作動を制御する制御基板が複数設けられている。例えば、主制御基板ないし主基板と称される制御基板には、遊技機の制御ソフトウェアが書き込まれたＲＯＭが搭載され、遊技機の作動を統括的に制御する中枢制御装置としての役割を有している。また、払出制御基板は、球払出装置もしくはメダル払出装置の作動を制御する役割を有している。そのため、遊技機の制御基板は、偽造ＲＯＭへの差し替えや不正回路の付加・削除などの行為対象になりやすい。このような不正行為を防止して公正な遊技に供するため、制御基板は、ともに透明な樹脂材料を用いて形成されたケース本体部材とその前方に開閉可能に装着されるケース蓋部材とからなる基板ケースに収容されてケースを閉じた閉止状態にロックされ、基板ケースには、ケース開放時の痕跡が残るような不正開放防止機構が設けられている。
【０００３】
基板ケースの不正開放防止機構として、ケースを閉じた状態で前後に対向するケース蓋部材及びケース本体部材の整合位置に、ロック部材を収容するロック部材収容部を複数設け、このロック部材収容部に収容されるロック部材の装着方向をロック位置とアンロック位置とに変更設定して基板ケースを閉止することにより、ロック位置にあるロック部材がケース本体部材とケース蓋部材とを連結して基板ケースを閉止状態にロックし、ケース開放時には、ロック部材がロック位置に設定されたロック部材収容部のケース蓋部材側の接続部またはケース本体側の接続部をニッパ等の工具で切断する構成とすることにより、複数回の開閉を可能としつつケースが開放された痕跡が残るように構成した不正開放防止機構が知られている（例えば特許文献１を参照）。
【０００４】
また、ケース蓋部材側の整合位置にピン保持部を設けて先端が楔状の係合頭部を有する封止ピンを後方に移動可能に保持させるとともに、ケース本体部材側の整合位置に封止ピンが後方に移動されたときに係合頭部を受容して係止するピン係合部を設け、基板ケースを閉じた状態でケース蓋部材の前方から封止ピンの前端部を押圧して係合頭部をピン係合部に圧入することにより基板ケースを閉じた閉止状態にロックし、ケース開放時には圧入されたピン保持部のケース蓋部材との接続部をニッパ等の工具で切断する構成とすることにより、複数回の開閉を可能としつつ基板ケースが開放された痕跡が残るように構成した不正開放防止機構が知られている（例えば特許文献２を参照）。
【０００５】
【特許文献１】特許第３９６６８２９号公報
【特許文献２】特開２００２−８５７６８号公報
【発明の開示】
【発明が解決しようとする課題】
【０００６】
しかしながら、上記のような従来の不正開放防止機構では、基板ケースを開放して作業を行った後に、基板ケースを閉止状態にロックする封止作業が煩雑であるという課題や、ロック部材を紛失させてしまうおそれがあるという課題があった。例えば、特許文献１に記載されたようなロック部材を用いた不正開放防止機構では、ケース開放後に再封止する際に、アンロック位置で本体側収容部に収容されているロック部材を引き抜いて、ロック位置に上下反転させたうえで再度本体側収容部に装着して基板ケースを閉じる必要があり、またアンロック位置にあるロック部材が本体側収容部から着脱自在なため、制御基板に対する保守作業中にロック部材を紛失してしまうおそれがあった。
【０００７】
また、特許文献２に記載されたような封止ピンを用いた不正開放防止機構では、基板ケースを閉止状態にロックする際に、先端が細い円柱状の専用工具を用い、未使用の封止ピンを圧入する必要があり、専用工具を保持管理する手間や、暗い場所で未使用の封止ピンを判別することが難しいという課題があった。
【０００８】
本発明は、このような課題に鑑みて成されたものであり、特殊工具を用いたりロック部材を紛失したりすることなく、容易に基板ケースを再封止できるような基板ケースの不正開放防止機構を提供することを目的とする。
【課題を解決するための手段】
【０００９】
上記目的達成のため、本発明は、ケース本体部材及びケース本体部材の前方に開閉可能に装着されるケース蓋部材を備え、ケース本体部材にケース蓋部材を装着してケース本体部材の前面を覆うように閉止したケース閉止状態で形成されるケース内部に、遊技機に搭載された電子部品を制御する制御基板を収容する基板ケースの不正開放防止機構である。この不正開放防止機構は、ケース本体部材に設けられケース閉止状態においてケース蓋部材と対向するケース本体部材の前面側に開口する本体側収容部が形成された本体側係合部と、ケース蓋部材を前後に貫通して設けられケース閉止状態において本体側収容部と前後に整合する蓋側収容部が形成された蓋側係合部と、前後に延びる軸部及び該軸部が蓋側収容部を挿通して装着された状態においてケース蓋部材の前面側に突出して配設される操作部を有し、蓋部材の前方から軸部の軸線を中心とした回動操作及び後方への移動操作が可能に配設されたロック部材とを備えて構成される。このロック部材は、ケース蓋部材をケース本体部材の前方に開放したケース開放状態において、軸部の後端側が蓋側収容部に収容された状態で前後移動が規制されるアンロック位置と、軸部の後端側を蓋側収容部から突出させて後方に移動可能なロック待機位置との角度範囲で回動可能に蓋側収容部に支持されるとともに、ケース閉止状態においては、軸部の後端側が蓋側収容部に収容されたロック待機位置と、軸部の後端側を蓋側収容部から後方に所定量突出させて軸部に設けられた軸側係合部を本体側収容部に設けられた収容側係合部に係合させ本体側係合部と蓋側係合部とを連結状態に保持するロック位置との間で前後移動可能に配設される。
【００１０】
なお、本発明において、本体側収容部及びロック部材に、ケース閉止状態においてロック部材の回動を規制する回動規制手段を設け、ケース閉止状態においてアンロック位置にあるロック部材が回動および前後移動が規制された状態でケース蓋部材に保持されるように構成することが好ましい。
【００１１】
前記回動規制手段は、本体側収容部の内方に突出して前後に延び前端が本体側係合部の前面から前方に突出して形成された規制凸部と、軸部の後端部に形成され、ロック部材がアンロック位置に位置する状態でケース蓋部材が閉止されたときに規制凸部の前端部を受容する第１規制凹部、及びロック部材がロック待機位置に位置する状態でケース蓋部材が閉止されたときに規制凸部の前端部を受容する第２規制凹部とからなり、ケース閉止状態において、規制凸部と第１規制凹部または第２規制凹部とが係合してロック部材の回動が規制されるように構成することが好ましい。
【００１２】
また、前記第２規制凹部と繋がって軸部の外面を後端から前方に延びる凹溝状のガイド凹部を備え、ケース閉止状態においてロック部材がロック待機位置から後方に移動したときに規制凸部とガイド凹部とが係合し、ロック部材の回動を規制しつつ前後移動を許容するように構成することが好ましい。
【００１３】
また、ケース本体部材及びケース蓋部材が、ケース本体部材に対してケース蓋部材を開閉可能な開閉位置と、ケース蓋部材がケース本体部材の前面を覆って本体側収容部と蓋側収容部とが前後に整合しケース本体部材に対してケース蓋部材がケース閉止状態で開閉不能となる閉止位置との間で、軸部の軸直行方向にスライド変位可能に接続され、第１規制凹部は、ロック部材がアンロック位置に位置する状態でケース蓋部材がスライド変位された場合に規制凸部の相対移動を許容する凹溝状に形成され、第２規制凹部は、ロック部材がロック待機位置に位置する状態でケース蓋部材がスライド変位された場合に規制凸部の相対移動を許容する凹溝状に形成され、ロック部材がロック待機位置またはアンロック位置以外の角度位置に位置する状態でケース蓋部材がスライド変位された場合には、規制凸部が軸部の後端部と当接して前記閉止位置にならないように構成することが好ましい。
【００１４】
さらに、以上の本発明において、操作部は、ロック部材の前方から当該ロック部材の回動角度位置を視覚により判別可能な識別手段（例えば、実施形態における指標１１８等）を備えることが好ましい。
【発明の効果】
【００１５】
本発明の不正開放防止機構では、ロック部材の操作部がケース蓋部材の前方から操作可能に配設され、基板ケースを開放したケース開放状態においてアンロック位置とロック待機位置の角度範囲で回動可能にケース蓋部材に支持される。このため、制御基板の管理者は、基板ケースを開放して作業を行った後に、操作部をアンロック位置からロック待機位置に回動してケース蓋部材を閉じ、操作部を後方に押圧してロック位置に移動させる簡単な操作で基板ケースを閉止状態にロックできる。また、ロック部材がケース蓋部材に操作可能な状態で支持されているため、制御基板の保守作業中にロック部材を紛失してしまうようなことがない。
【００１６】
なお、本体側収容部及びロック部材に、ケース閉止状態においてロック部材の回動を規制する回動規制手段を設け、ケース閉止状態においてアンロック位置にあるロック部材が回動および前後移動が規制された状態でケース蓋部材に保持されるような構成によれば、基板ケースを閉止した状態で、未使用状態のロック部材がアンロック位置に保持されるため、既にロック状態にある基板ケースについて複数個所をロックしてしまうような誤操作やいたずらを防止できるとともに、いたずらを避けるために専用工具を保持管理するような煩雑を回避して作業性の良好な不正開放防止機構を提供することができる。
【００１７】
また、上記回動規制手段が、本体側収容部に形成された規制凸部と、ロック部材の軸部後端に形成された第１規制凹部及び第２規制凹部からなり、ケース閉止状態において規制凸部と第１規制凹部または第２規制凹部とが係合してロック部材の回動が規制されるような構成によれば、ロック部材をアンロック位置またはロック待機位置に、回動規制した状態で確実に保持することができる。
【００１８】
また、第２規制凹部と繋がって軸部の外面を後端から前方に延びる凹溝状のガイド凹部を備えた構成によれば、規制凸部とガイド凹部との係合によりロック部材の移動がガイドされるため、操作部を後方に押圧する単純な押し込み操作で基板ケースを閉止状態にロックすることができる。また、ロック位置においてもロック部材が回動規制され、ロック部材を回動させる力が規制凸部とガイド凹部との係合部に受け止められる。このため、基板ケースを閉止状態にロックする軸側係合部及び収容側係合部は、軸方向（前後方向）について必要な保持力を持たせればよく、簡明な構成でこじ開けに対する耐力が高い不正開放防止機構を提供することができる。
【００１９】
また、ケース本体部材及びケース蓋部材がケース蓋部材を開閉可能な開閉位置とケース蓋部材を閉じたケース閉止状態で開閉不能な閉止位置とにスライド変位可能に接続され、第１規制凹部はロック部材がアンロック位置に位置する状態、第２規制凹部はロック部材がロック待機位置に位置する状態で、ケース蓋部材がスライド変位された場合に規制凸部の相対移動を許容する凹溝状に形成され、ロック部材がアンロック位置またはロック待機位置以外の角度位置に位置する状態でケース蓋部材がスライド変位された場合に規制凸部が軸部の後端部と当接して閉止位置にならないような構成によれば、ロック部材をアンロック位置またはロック待機位置のいずれかに設定して蓋部材をスライドさせなければ基板ケースを閉止することができない。従って、基板ケースの封止作業における誤操作を確実に防止することができる。また、ケース開放時にも蓋部材を開閉位置にスライドさせる必要があるところ、ロック部材がロック位置にある状態では、ロック部材の軸部が本体側収容部と蓋側収容部とに跨って嵌入されており、蓋側係合部と蓋本体との接続部または本体側接続部とケース本体との接続部のいずれかを切断しなければ基板ケースを開放することができない。従って、ケース開放の痕跡を残すことなく内部の制御基板に改造を加えるような不正行為を有効に防止することができる。
【００２０】
なお、操作部がロック部材の前方からロック部材の回動角度位置を視覚により判別可能な識別手段を備えた構成によれば、基板ケースの前方からロック部材がアンロック位置・ロック待機位置のいずれにあるかを、一目瞭然で直ちに判断できる。
【発明を実施するための最良の形態】
【００２１】
以下、本発明の好ましい実施形態について図面を参照して説明する。図１４及び図１５に、本発明が適用される基板ケースを備えた遊技機の代表例としてパチンコ機ＰＭの正面図及び背面図を示しており、まず、このパチンコ機ＰＭの全体構成について概要説明する。
【００２２】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側に配設されたヒンジ機構３ａ，３ｂに支持されて前方に横開き開閉及び着脱が可能に取り付けられ、正面右側に設けられたダブル錠と称される施錠装置４を利用して外枠１と係合された閉鎖状態に保持される。
【００２３】
前枠２の前面側上部には、前枠２の前面域に合わせた方形状で中央部に複層ガラスが装着されたガラス扉５が正面左側に設けられたヒンジ機構７ａ，７ｂにより前方に横開き開閉および着脱が可能に支持され、前記施錠装置４により前枠２の上部前面を覆う閉鎖状態に保持される。ガラス扉５の背後には遊技盤１０を立設姿勢で収容する収容枠が前枠２と一体に成型されており、この収容枠に遊技盤１０が着脱可能に収容保持され、常には閉鎖保持されるガラス扉５を透視して前面の遊技領域を視認可能に臨ませている。
【００２４】
図１４では遊技盤１０の記載を省略するが、遊技盤１０の前面には上下のレール飾りに囲まれて略円形の遊技領域が区画形成され、この遊技領域に多数本の遊技釘とともに風車や各種入賞具、遊技の進行状況に応じて所定の画像が表示される画像表示装置などの遊技構成部品が取り付けられている。遊技領域の下端部には、入賞具に落入することなく落下した遊技球を遊技盤１０の裏面側に排出するためのアウト口が遊技盤を前後に貫通して設けられている。
【００２５】
前枠２の下部領域には、球皿ユニット６が正面左側に設けられたヒンジ機構７ｂ，７ｃにより前方に横開き開閉および着脱が可能に支持されるとともに、正面右側に設けられた球皿施錠装置を利用して前枠２の下部前面を覆う閉鎖状態に保持される。球皿ユニット６に覆われた前枠２の下部領域には遊技補助盤と称される補助機構部が設けられており、この遊技補助盤に、遊技球を発射する遊技球発射装置や、遊技領域に到達することなく戻ってきたファール球を回収するファール球回収通路などが設けられている。前枠２の前面下部には、遊技球の発射操作を行う発射ハンドル８が取り付けられている。
【００２６】
前枠２の裏側に、裏セット盤２０が着脱可能に取り付けられている。裏セット盤２０は、遊技盤１０の裏面側に突出する画像表示装置や画像制御基板等を挿通させる大型の窓口２１ｗを有して外枠１の内寸よりも幾分小型の矩形枠状に形成された基枠体２１をベースとして構成される。基枠体２１の各部には、球貯留タンクに貯留された多数の遊技球を流下過程で前後各一列に整列させる整流機構５０、整流機構５０により整列された遊技球を上下につながった整列状態で待機させる整列待機通路２２、所定の入賞条件成立に基づいて整列待機通路２２に待機された遊技球を払い出す球払出装置２３、及び球払出装置２３から払い出された遊技球を球皿ユニット６の球皿に導く払出通路などからなる賞球機構が設けられる。
【００２７】
また、基枠体２１の裏面側の各部には、パチンコ機各部に電力を供給する電源基板３１や球払出装置２３の作動を制御する払出制御基板３２、パチンコ機の作動を統括的に制御する主制御基板３３、画像表示装置の作動を制御する画像制御基板３５、遊技施設のホールコンピュータとの間で球払い出し情報やアラーム情報などの入出力を行うターミナル基板３７など、パチンコ機ＰＭに搭載された電子部品を制御する各種制御基板が取り付けられ、これらの制御基板とパチンコ機各部の電気・電子部品がワイヤーハーネスで接続されて遊技可能に構成される。各制御基板は不正な改造行為を防止するため、透明な基板ケースに収容された状態で取り付けられている。
【００２８】
このように概要構成されるパチンコ機ＰＭにあって、主制御基板３３や払出制御基板３２等の制御基板は、いわゆる大当たりの発生確率を増大させた偽造ＲＯＭへの差し替えや、擬似的に払出指令信号を出力させるような不正回路の付加など、不正利得を目的とした改造行為の対象になりやすい。そこで、このような制御基板を収容する基板ケースは、ケース内部に制御基板を収容保持した閉止状態にロック可能に構成されるとともに、ロック後は基板ケースの一部を破壊しなければ基板ケースを開放できない構成、例えば、ケース開放時にその痕跡（履歴）が残るような構造の不正開放防止機構が設けられている。
【００２９】
本発明に係る基板ケースの不正開放防止機構１００について、その要部構成を示す斜視図を図１〜図５の各図に示す。ここで、図１はケースを開放した状態における基板ケースＢＣの斜視図、図２はケースを閉止した状態（ロック待機状態）における基板ケースの斜め前方からの斜視図、図３は基板ケース及び不正開放防止機構を分解した状態における斜め前方からの斜視図、図４は基板ケース及び不正開放防止機構を分解した状態における斜め後方からの斜視図、図５は図２におけるV矢視方向に見た基板ケースの底面図である。なお、基板ケースの大きさや形状、取り付け姿勢（前後・上下・左右の各方向）等は、ケース内に収容される制御基板の形状寸法、基板ケースが取り付けられる遊技機の取り付け位置、制御基板の配設姿勢等に応じて任意に設定可能である。そのため、本明細書においては、説明の便宜上、図２に示す矢印Ｆ，Ｒ，Ｕの向かう方向を、それぞれ前方，右方，上方と称して説明する。
【００３０】
基板ケースＢＣは、ともに透明な樹脂材料を用いて形成されたケース本体部材５０と、このケース本体部材５０の前方に着脱および揺動開閉が可能に取り付けられるケース蓋部材６０とを備え、ケース本体部材５０にケース蓋部材６０を装着して閉止したケース閉止状態で前後整合するケース右端部に、不正開放防止機構１００，１００が設けられている。ケース閉止状態において形成されるケース内部には、例えば前述した主制御基板や、払出制御基板などの制御基板が収容される。なお、各図には、不正開放防止機構１００を２か所設けた構成を例示するが、不正開放防止機構１００の数は複数であればよく、一般的には４か所程度設けられる。
【００３１】
ケース本体部材５０は、後壁５１Ｂ及びこの後壁５１Ｂを囲んで前方に延びる上下左右の側壁５１Ｕ，５１Ｄ，５１Ｌ，５１Ｒを有し、全体として前面開放の矩形箱状に形成されたケース本体５１と、このケース本体の右側壁５１Ｒと連結部５４を介して繋がり右方に突出して形成された複数の本体側係合部５５とを主体として構成される。ケース本体５１の下部には左右に所定間隔をおいて本体側ヒンジ構造５２，５２が形成され、ケース本体の上下の側壁５１Ｕ，５１Ｄの前端部には、それぞれ上下外向きに突出して左右に延びる矩形ブロック状の本体側閉止保持突起５３，５３…が設けられている。
【００３２】
本体側ヒンジ構造５２は、ケース本体の下側壁５１Ｄから下方に延びる軸受壁５２ｐを左右貫通する円孔状の軸受部５２ｊと、この軸受部５２ｊと繋がって前方にＶ字状に開く導入部５２ｇを有し、導入部５２ｇと軸受部５２ｊとが繋がる開口部の幅が、次述するヒンジ軸６２の直径よりも幾分小さめに形成されている。ケース本体部材５０は、例えばポリカーボネートやＡＢＳ樹脂などの樹脂材料を用いて図示形状に一体成型される。
【００３３】
ケース蓋部材６０は、前壁６１Ｆ及び前壁６１Ｆを囲んで後方に延びる上下左右の側壁６１Ｕ，６１Ｄ，６１Ｌ，６１Ｒを有し、全体として後面面開放の薄い矩形蓋状に形成された蓋本体６１と、蓋本体の右側壁６１Ｒと断面視コの字状の連結部６４を介して繋がり右方に突出する蓋側係合部６５とを主体として構成される。ケース蓋部材６１の下部には、本体側ヒンジ構造５２，５２と同様の間隔をおいて蓋側ヒンジ構造６２，６２が形成され、蓋本体の上下の側壁６１Ｕ，６１Ｄには、前壁６１Ｆとの間に本体側閉止保持突起５３を受容可能な間隔をおいて、それぞれ内向きに突出して左右に延びる矩形ブロック状の蓋側閉止保持突起６３，６３…が設けられている。
【００３４】
蓋本体６１の上下の側壁６１Ｕ，６１Ｄは、これらの側壁の内面間隔がケース本体の上下の側壁５１Ｕ，５１Ｄの外面間隔よりも僅かに大きく設定され、蓋本体６１の左右の側壁６１Ｌ，６１Ｒの内面間隔は、ケース本体の左右の側壁５１Ｕ，５１Ｄの外面間隔よりも次述するスライド範囲の長さ分大きく設定されている。
【００３５】
蓋側ヒンジ構造６２は、蓋本体の下側壁６１Ｄから下方に延びる軸壁６２ｐに、軸受部５２の形成位置及び内径に合わせて右方に突出する円柱状のヒンジ軸６２ｊが形成され、このヒンジ軸の先端側にヒンジ軸６２ｊの軸径よりも直径が大きい円盤状のスライド規制部６２ｓが形成されている。ケース蓋部材６０は、ケース本体部材５０と同様の樹脂材料を用いて図示する形状に一体成型される。
【００３６】
ケース蓋部材６０は、ケース側ヒンジ構造６２の左右のヒンジ軸６２ｊを、ケース側ヒンジ構造５２の導入部５２ｇに挿入し、前方から軽く押圧して軸受部５２ｊに係合支持させることによりケース本体部材５０と前後揺動及び左右スライドが可能に連結される。ケース本体部材５０に対してケース蓋部材６０がスライド可能な範囲、すなわちケース蓋部材６０のスライド範囲は、ケース蓋部材６０を右方にスライドさせてケース蓋部材の軸壁６２ｐがケース本体部材の軸受壁５２ｐに当接した右端位置（以下、スライド右端位置という）と、ケース蓋部材６０を左方にスライドさせてケース蓋部材のスライド規制部６２ｓがケース本体部材の軸受壁５２ｐに当接した左端位置（以下、スライド左端位置という）とにより規定される。
【００３７】
また、ケース本体５１に形成された本体側閉止保持突起５３，５３…と、蓋本体６１に形成された蓋側閉止保持突起６３，６３…との左右方向（スライド方向）の位置関係は、ケース蓋部材６０をスライド左端位置まで移動させた状態において、蓋側閉止保持突起６３，６３…と本体側閉止保持突起５３，５３…とが左右に離隔して配設される。一方、ケース蓋部材６０をスライド右端位置まで移動させた状態においては、蓋側閉止保持突起６３，６３…と本体側閉止保持突起５３，５３…とが前後に重なり、ケース蓋部材６０を閉じた状態において本体側閉止保持突起５３が蓋側閉止保持突起６３と前壁６１Ｆとの間に挟み込まれるように前後に係合して配置されるようになっている。
【００３８】
このため、ケース蓋部材６０をスライド範囲の左端まで移動させたスライド左端位置では、ケース蓋部材６０を揺動開閉することができるが、スライド左端位置でケース蓋部材６０を閉じスライド範囲の右端側まで移動させると、本体側閉止保持突起５３と蓋側閉止保持突起６３とが前後に係合してケース蓋部材６０を開くことができない。また、ケース蓋部材６０を開いた状態でスライド右端位置まで移動させると、蓋側閉止保持突起６３が本体側閉止保持突起５３に当接してケース蓋部材６０を完全に閉じることができない。すなわち、スライド右端位置ではケース蓋部材６０の開閉ができないように構成されている。
【００３９】
そして、スライド左端位置でケース蓋部材６０を閉じ、スライド右端位置まで移動させた状態（「ケース閉止状態」という）において、蓋本体６１の上下左右の側壁６１Ｕ，６１Ｄ，６１Ｌ，６１Ｒがケース本体５１の上下左右の側壁５１Ｕ，５１Ｄ，５１Ｌ，５１Ｒの外周を囲んで蓋本体６１がケース本体５１の前面全体を覆って配設され、ケース本体５０に形成された本体側係合部５５，５５とケース蓋部材６０に形成された蓋側係合部６５，６５とが位置整合して前後に重なるようになっている。
【００４０】
本体側係合部５５及び蓋側係合部６５は、それぞれケース本体５１の右側壁５１Ｒ、蓋本体６１の右側壁６１Ｒと繋がって右方に突出する先端円弧のブロック状に形成され、本実施形態においては、上下の本体側係合部５５，５５を前面及び先端部において接続し一体に形成した構成例を示す。一方、上下に分かれて形成された蓋側係合部６５，６５は、それぞれ後面側が開く側断面視コの字状の連結部６４を介し、各々独立して蓋本体の右側壁６１Ｒと接続されている。そして、このようにして前後に重なる本体側係合部５５及び蓋側係合部６５に、不正開放防止機構１００が設けられる。
【００４１】
不正開放防止機構１００は、上記の本体側係合部５５及び蓋側係合部６５と、蓋側係合部６５に前後移動及び回動が可能に支持されたロック部材１１０とを備えて構成される。図６にロック部材１１０の(ａ)左側面図、(ｂ)正面図、(ｃ)右側面図を示し、図７に前後に延びるロック部材の中心線１１０Ｘ及び斜め上下に延びるロックピンの中心線１１５Ｘを含む面での断面図（図６(ｂ)におけるVII−VII矢視の断面図）、図８に図６(ｃ)におけるVIII矢視の軸部の背面図を示す。
【００４２】
ロック部材１１０は、前後に延びる軸部１１２及び軸部の前端に形成された操作部１１３を有するロックハンドル１１１と、軸部１１２の後端側にロック部材の中心軸１１０Ｘと直行方向にスライド変位自在に支持されたロックピン１１５と、ロックピン１１５を軸部外方に付勢するコイルスプリング１１６を主体として構成される。
【００４３】
ロックハンドル１１１は、前後に延びる円柱状の軸部１１２と、この軸部１１２の前端に軸部よりも大径の薄肉円盤状に形成された操作部１１３とを有し、例えばアルミ合金や銅合金などの金属材料を用いて一体に形成される。軸部１１２の後端側にはロックピン１１５をこのピンの軸線１１５Ｘに沿った軸方向（ロックハンドルの中心線１１０Ｘに直行する方向）にスライド変位自在に収容支持する円筒状のピン収容部１１４が設けられ、軸部１１２の後端には、溝幅がＢで軸端からの深さがＨの凹溝状の規制凹部１１７が形成されている。
【００４４】
規制凹部１１７は、ロック部材１１０の中心線廻りの角度姿勢が図６(ｂ)及び図１〜図５等の各図に示す角度位置（後に詳述する「ロック待機位置」及び「ロック位置」の角度位置）において、軸部１１２の中心を通って左右に延びる第２規制凹部１１７ｂと、軸部の軸心Ｏを通って上下に延び第２規制凹部１１７ｂと直交する第１規制凹部１１７ａとからなり、軸部１１２を後端側から見た背面視において十字溝状になっている。軸部１１２の外周面には、次述するロックピン１１５の基端側に近い方の第２規制凹部１１７ｂの溝端部と繋がって、軸部１１２の後端から前方に延びるガイド凹部１１７ｃが形成されている。なお、ロックピン１１５については、図７に示す配設姿勢における上端側を先端側、下端側を基端側と称して説明する。
【００４５】
ロックピン１１５は、図７に示すように、細長い軸状の軸ピン１１５ａと、この軸ピン１１５ａの中間部に軸ピンよりも大径に形成された短円柱状の座部１１５ｂからなり、ステンレスや真鋳等の金属材料を用いて一体に形成される。ロックピン１１５を収容するピン収容部１１４は、ロックピンの座部１１５ｂよりも幾分大きな内径で軸部１１２に軸直行方向に穿設された有底円筒状の座部収容穴１１４ｂと、軸ピン１１５ａよりもわずかに大きめの内径で座部収容穴１１４ｂの底部を貫通して同軸上に形成されたピン支持孔１１４ａと、座部収容穴１１４ｂの入り口側に薄肉の円環状に形成されたカシメ部１１４ｃから構成される。
【００４６】
ロックピン１１５は、座部収容穴１１４ｂにコイルスプリング１１６を収納し、ロックピン１１５における軸ピン１１５ａの基端側をピン支持孔１１４ａに挿通し、座部１１５ｂを座部収容穴１１４ｂに挿入して、コイルスプリング１１６を軸方向に圧縮した状態でカシメ部１１４ｃを加締めて縮径させることにより、ピン収容部１１４に装着される。こうしてロックピン１１５が装着されると、ロックピン１１５はこのピンの軸方向に所定範囲で摺動自在に支持され、常にはコイルスプリング１１６のばね力により軸ピン１１５ａの先端側が軸部１１２の外方に突出するように付勢配設される。ロックピン１１５の長さは、ロックハンドルの軸部１１２の外径よりも長く、ロックピン１１５を摺動範囲の中間に位置させた状態（中間位置）において、ロックピン１１５の先端側及び基端側が、ともに軸部１１２から突出した状態で配設されるようになっている。なお、コイルスプリング１１６に代えて板ばねや皿ばねなどの付勢手段を用いてもよい。
【００４７】
なお、軸部１１２におけるロックピン１１５の軸方向（１１５Ｘ方向）と、前述した規制凹部１１７ａ，１１７ｂの延びる方向とは、軸部１１２を後端側から見た背面視において、互いに４５度の相対角で傾斜した状態になっている。操作部１１３の前面には、第２規制凹部１１７ｂが水平姿勢でガイド凹部１１７ｃが右側に位置し、ロックピン１１５の先端側が軸心Ｏに対して左斜め上方４５度方向となるときに、水平左方を指す角度姿勢を示す指標１１８が設けられている。
【００４８】
このようなロック部材１１０を、軸部１１２の軸方向に前後移動及び軸廻りに回動可能に支持する蓋側収容部１２０が蓋側係合部６５を前後に貫通して形成されている。図９に蓋側係合部６５をケース蓋部材６０の背面側から見た斜視図、図１０に蓋側係合部６５をケース蓋部材６０の前面側から見た斜視図を示す。
【００４９】
蓋側収容部１２０は、全体として、ロックハンドルの軸部１１２の外径よりも幾分大きめの内径を有して蓋側係合部６５を前後に貫通する円孔状で、その内周面には、ロックピン１１５の先端側を受容して係合する蓋側ピン係合溝１２１と、ロックピン１１５の基端側を受容する蓋側ピン受容溝１２２とが形成されている。
【００５０】
蓋側ピン係合溝１２１は、図９に示すように、円孔の中心を通り左右に延びる水平線に対して蓋本体側（正面視左側）に上下各４５度の角度範囲で、前面側の円孔内径よりも大径の周壁１２１ａが後方に開いて形成され、周壁１２１ａの前方に薄い扇形の前方規制壁１２１ｂ、周壁１２１ａの両端に後方に延びる上下の回動規制壁１２１ｕ，１２１ｄが形成される。一方、蓋側ピン受容溝１２２は、図１０に示すように、円孔の中心を通り左右に延びる水平線に対して反蓋本体側（正面視右側）に上下各４５度の角度範囲で、後面側の円孔内径よりも大径の周壁１２２ａが前方に開いて形成され、周壁１２２ａの後方に薄い扇形の後方規制壁１２２ｂ、周壁１２２ａの両端に上下の回動規制壁１２２ｕ，１２２ｄが形成されるとともに、上方の回動規制壁１２２ｕが前方に延びてロックピンのピン径よりも幾分大きな溝幅で蓋側係合部６５の前面に至る正面視凹溝状の導入溝１２２ｅが形成され、下方の回動規制壁１２２ｄから同様の溝幅で蓋側係合部６５の後面側に延びて背面視凹溝状の導出溝１２２ｆが形成されている。
【００５１】
ロック部材１１０の蓋側収容部への装着は、ロックピン１１５の先端部をコイルスプリング１１６のばね力に抗して引っ込ませた状態で、軸部１１２から突出したロックピン１１５の基端部を導入溝１２２ｅの角度位置に合わせ、軸部１１２の後端側を蓋側収容部１２０に挿入する。導入溝１２２ｅを通って蓋側収容部内に進入したロックピンの基端部は、所定深さで後方規制壁１２２ｂに当接し、後方への移動が規制される。このとき、ロックピン１１５の先端側が前方規制壁１２１ｂを越え、コイルスプリング１１６のばね力によってピン先端部が蓋側ピン係合溝１２１に突出し周壁１２１ａと係合する。このロックピン１１５の突出状態は前述したロックピンの摺動範囲の中間位置であり、軸部１１２に対してロックピン１１５の先端側及び基端側の両方が突出した状態で配設される（図７を参照）。
【００５２】
そのため、ロック部材１１０は、ロックピン１１５のピン先端部が前方規制壁１２１ｂと係合して前方への移動（ロック部材の抜去方向への移動）が規制され、ロックピン１１５の基端側が下向き４５度の角度位置に配設された場合を除きピン基端部が後方規制壁１２２ｂと係合して後方への移動（ロック部材の押し込み方向への移動）が規制されて、軸部１１２の中心線１１０Ｘを軸として回動自在な状態で蓋側係合部６５に装着される。
【００５３】
すなわち、ロック部材１１０が蓋側係合部６５に装着されると、ロックピン１１５が先端側及び基端側において前後の規制壁１２１ｂ，１２２ｂに挟まれて前後方向の移動が規制され、ロックピン１１５の先端部が下方の回動規制壁１２１ｄに当接し基端部が上方の回動規制壁１２２ｕに当接した角度位置（軸心Ｏに対しロックピン１１５の先端が下向き４５度の角度位置）〜ロックピン１１５の先端部が上方の回動規制壁１２１ｕに当接し基端部が下方の回動規制壁１２２ｄに当接した角度位置（軸心Ｏに対しロックピン１１５の先端が上向き４５度の角度位置）の９０度の角度範囲で回動自在に配設される。このため、ロック部材１１０が蓋側係合部６５に装着されると、ロックピン１１５の先端が上向き４５度以外の角度位置では、ロックピン１１５の基端部が後方規制壁１２２ｂに当接してロック部材１１０を押し込み方向に移動させることができず、ロックピン１１５の先端が上向き４５度に設定された角度位置に限り、ロックピン１１５の基端部が導出溝１２２ｆに沿って移動可能となるため、ロック部材１１０を押し込み方向（後方）に移動可能になっている。
【００５４】
このとき、ロック部材１１０の前後方向の配設位置は、前後移動が規制された位置において、図１，図２，図４の各図に示すように、操作部１１３が蓋側係合部６５の前面側に突出し、軸部１１２の後端が蓋側係合部６５の後面側に突出することなく蓋側収容部１２０内に収容された状態で配設される。また、ロック部材１１０の回動方向の配設位置では、軸心Ｏに対してロックピン１１５の先端が下向き４５度の角度位置において第１規制凹部１１７ａが左右水平に配設され、ロックピン１１５の先端が上向き４５度の角度位置において第２規制凹部１１７ｂが左右水平に配設される。
【００５５】
操作部１１３の前面には、第１規制凹部１１７ａが左右水平に延びロック部材１１０の前後移動が規制された角度位置（本明細書において「アンロック位置」という）において鉛直下方を指し、第２規制凹部１１７ｂが左右水平に延びロック部材１１０の後方への移動が許容される角度位置において水平左方を指す指標１１８が設けられている。なお、各図に示す実施例では、指標１１８を操作部１１３の表面に凸の浮き上がった三角形状としてロックハンドル１１１に一体に形成するとともに、例えば赤色など有彩色に着色して、ロック部材１１０の角度姿勢について視認性を向上させるとともに、指標を付け替える等の偽装を効果的に防止し得る構成としている。
【００５６】
蓋側係合部６５と前後に重なる本体側係合部５５に、ケース閉止状態において蓋側収容部と位置整合して前方に開口し，ロック部材１１０の後端側を受容する本体側収容部１３０が設けられている。本実施形態においては、本体側収容部１３０は、例えばアルミ合金等の金属材料を用いて概略円筒形に形成された本体側収容部材１４０と、この本体側収容部材１４０の後面側を塞ぐ薄板板金製の底板１４５からなり、本体側収容部材１４０に底板１４５をカシメ固着し、ケース本体５０の成型時にインサートモールドにより本体側係合部５５に一体に設けた構成を例示する（図４では、説明の便宜上、本体側収容部材１４０及び底板１４５を分解した状態で表示している）。図１１に本体側収容部材１４０の(ａ)左側面図、(ｂ)正面図、(ｃ)右側面図を示し、図１２に本体側収容部材１４０を斜め前方から見た斜視図、図１３に本体側収容部材１４０を斜め後方から見た斜視図を示す。
【００５７】
本体側収容部材１４０は、全体としては、前後に延びる円筒１４１の前後中間部に円筒よりも大径のフランジ部１４１ｆを設け、これらの外周側を上下平行に面取りした形態をなし、中心にロックハンドルの軸部１１２が嵌入される円孔状の受容筒部１４２が前後貫通して形成されている。本体側収容部材１４０の後面側には、平行面取りされた外形に合わせた輪郭形状で前後に延びる薄肉壁面のカシメ部１４４が形成され、ここに小判状の底板１４５が嵌め込まれた状態でカシメ固着され、受容筒部１４２の後面が閉塞される。そして、このようにして一体に結合された本体側収容部材１４０及び底板１４５がケース本体部材の金型に装着されてインサートモールドされ、ケース閉止状態において蓋側収容部１２０と位置整合して上下に連通する本体側収容部１３０が本体側係合部５５に形成される。
【００５８】
このため、本体側収容部１３０の主要構造は、金属製の本体側収容部材１４０及び底板１４５により構成され、本体側収容部１３０の中心に、ロックハンドルの軸部１１２の外径よりも幾分大きめの内径の受容筒部１４２が前方に開口し、後面側が底板１４５及びモールド樹脂で塞がれた状態で配設される（図１を参照）。受容筒部１４２の内周面には、左右に延びる水平線に対して斜め４５傾斜した角度位置に、ロックピン１１５のピン径よりも幾分広い溝幅で前後方向に延びる本体側ピン係合溝１３１及び本体側ピン受容溝１３２が形成されている。
【００５９】
このうち、正面視において左上方に位置する本体側ピン係合溝１３１は、図１３に示すように、溝深さが浅い（溝外径が小径の）導入係合溝１３１ａと、この導入係合溝１３１ａと繋がって溝深さが深い（溝外径が大径の）ロック係合溝１３１ｃとからなる段付き溝状に形成され、この導入係合溝１３１ａとロック係合溝１３１ｃとの段差部に、平坦な前方規制壁１３１ｂが形成されている。一方、正面視において右下方に位置する本体側ピン受容溝１３２は、図１２に示すように、前面側から後面側まで一定の溝深さで形成されている。導入係合溝１３１ａの溝外径は、蓋側ピン係合溝１２１における周壁１２１ａの外径と同一又はこれより幾分大きめに形成され、本体側ピン受容溝１３２の溝外径は、蓋側ピン受容溝１２２における導出溝１２２ｆの溝外径と同一又はこれより幾分大きめに形成されている。
【００６０】
また、本体側収容部材１４０には、受容筒部１４２の内方に突出して前後に延びる平行キー状の規制凸部１３７が形成されており、インサートモールドにより、この規制凸部１３７が本体側収容部１３０の水平右側に位置し、規制凸部１３７の前端部１３７ｔが本体側係合部５５の前面から前方に突出して配設される。規制凸部１３７の上下方向の幅ｂ及び前方への突出高さｈは、それぞれ前述した規制凹部１１７の溝幅Ｂ及び溝深さＨよりも小さく（ｂ＜Ｂかつｈ＜Ｈに）設定されている。
【００６１】
本体側収容部１３０は、ケース蓋部材６０を閉じてスライド右端位置まで移動させたケース閉止状態において、蓋側収容部１２０に前後移動及び回動が可能に支持されたロック部材１１０の中心線１１０Ｘと本体側収容部の中心線１３０Ｘとが前後一致した状態で配設され、蓋側ピン受容溝１２２における導出溝１２２ｆと本体側ピン受容溝１３２とが前後に繋がった状態で配設される。
【００６２】
そのため、ロックハンドルの指標１１８が水平左方を向いてロック部材１１０の後方への移動が許容される角度位置においては、蓋側ピン受容溝１２２の導出溝１２２ｆと本体側ピン受容溝１３２とが前後に繋がり、本体側収容部１２０から前方に突出する規制凸部の前端部１３７ｔが左右水平に延びる第２規制凹部１１７ｂ内に位置するとともに、本体側収容部の内方に突出して前後に延びる規制凸部１３７と軸部の外周に凹設されて前後に延びるガイド凹部１１７ｃとが合致した状態で配設される。
【００６３】
従って、ロック部材１１０は、この角度位置において軸部１１２の後端が蓋側収容部１２０内に収容された状態の前方位置（本明細書において「ロック待機位置」という）から後方に移動させることができる。ロック部材１１０が後方に移動されると、蓋側収容部１２０から突出した軸部１１２の後端が本体側収容部１３０の受容筒部１４２に嵌入し、ロックピン１１５の基端部が蓋側ピン受容溝の導出溝１２２ｆから本体側ピン受容溝１３２に進入し、蓋側ピン係合溝の上方の回動規制壁１２１ｕに沿って移動するロックピン１１５の先端部が本体側ピン係合溝１３１に進入する。このとき、ガイド凹部１１７ｃと規制凸部１３７との係合によりロックハンドル１１１の回動が規制されるため、前後の各溝部の相対位置が変化することがなく、ロック部材１１０がガイドされつつ引っ掛かりなく滑らかに後方に移動する。
【００６４】
そして、ロック部材１１０が、前方のロック待機位置から所定ストローク後方に移動されると、本体側ピン係合溝１３１に進入し導入係合溝１３１ａに係合していたロックピン１１５の先端部が、導入係合溝１３１ａを通過してロック係合溝１３１ｃに至り、内蔵されたコイルスプリング１１６のばね力により突出して、ロックピン１１５の先端がロック係合溝１３１ｃの溝底面（溝外周面）と係合する。このとき、軸部１１２の後端面と本体側収容部における底板１４５の前面とがわずかなクリアランスで対峙して配設される。そのため、ロック部材１１０は、ロックピン１１５と前方規制壁１３１ｂとの係合により前方（抜去方向）への移動が規制され、底板１４５により後方への移動が規制された後方位置（本明細書において「ロック位置」という）に保持される。ロック位置では、ガイド凹部１１７ｃと規制凸部１３７とが係合しており、ロック部材１１０は、前後移動及び回動の両方が規制された状態で保持される。
【００６５】
ロック部材１１０がロック位置に設定されると、本体側係合部５５と蓋側係合部６５とがロック部材１１０により係合連結された閉鎖状態に保持される。閉鎖状態では、ロック部材１１０が、ロックピン１１５と本体側収容部の前方規制壁１３１ｂとの係合により前方への移動が規制されてロック部材１１０をロック待機位置まで引き抜くことができず、また、ロックハンドルの軸部１１２が蓋側収容部１２０と本体側収容部１３０とに跨って嵌入されているため、ケース本体部材５０に対してケース蓋部材６０をスライドさせることもできない。従って、ロック部材１１０をロック位置に設定することにより、基板ケースＢＣが強固な閉鎖状態に保持される。なお、基板ケースＢＣを開放する際には、蓋側係合部６５と蓋本体６１との間に形成された連結部６４をニッパ等の工具により切断して本体側係合部５５と連結された状態の蓋側係合部６５を切り離し、蓋本体６１をスライド左端位置にスライドさせて行う。
【００６６】
さて、以上のように構成される不正開放防止機構１００の具体的な作用について、以下、簡潔に説明する。まず、未使用の基板ケースＢＣに収容し不正開放防止機構１００を利用してケース内にロック保持させる場合について説明する。未使用の基板ケースＢＣでは、複数のロック部材１００が全て未使用状態であり、ロックハンドル１１１は軸部１１２の後端側が後方に突出することなく蓋側収容部１２０内に収容され、蓋側係合部６５の前面側に突出する操作部１１３に付された指標１１８が鉛直下方を向いた「アンロック位置」に設定された状態になっている。
【００６７】
このとき、軸部後端の規制凹部１１７は、第１規制凹部１１７ａが左右水平に伸びる角度姿勢に配設されており、ケース閉止位置では、本体側収容部１３０の前面側に突出する規制凸部１３７の前端部１３７ｔが、第１規制凹部１１７ａの溝内（正面視における溝右端部）に位置して配設されている。蓋側係合部６５の後面側には、規制凹部１１７と同様の溝幅Ｂ及び溝深さＨで、ケース蓋部材６０のスライド範囲に相当する長さの逃げ溝１２７が蓋側収容部１２０の円孔から水平右方に延びて形成されている。すなわち、ケース蓋部材６０がケース本体部材５０の前面を覆うように閉じた状態で、ケース蓋部材６０を左右にスライドさせたときに、規制凸部１３７の前端部１３７ｔが逃げ溝１２７内を相対移動してスライド範囲で移動可能になっている。一方、蓋側収容部と６５本体側収容部５５とが前後に重なった「ケース閉止状態」では、本体側閉止保持突起５３と蓋側閉止保持突起６３とが前後に係合してケース蓋部材６０を開くことができない。
【００６８】
そこで、まずケース蓋部材６０をスライド左端位置までスライド移動させた状態でケース蓋部材６０を前方に開放し、主制御基板３３や発射制御基板３３など当該基板ケースＢＣの収容対象である制御基板をケース蓋部材６０またはケース本体部材５０に形成された基板固定部（不図示）に固定する。そして、ケース蓋部材を閉止する前に、複数のロック部材１００のうち、最初の封止に使用するロック部材１００のロックハンドル１１１を、「アンロック位置」から時計廻りに９０度回動して指標１１８が水平左方（蓋本体側）を指す「ロック待機位置」に設定する。蓋本体６１の前面には、ロック部材１１０の位置状態を把握する基準として、指標１１８と同様の三角形の合いマーク６８が水平右向きで設けられており、ロック部材１１０が「ロック待機位置」に設定されたときに指標１１８と合いマーク６８とが対向し、ロック部材１１０の位置設定状況が一目で視認可能になっている。
【００６９】
ロック部材１１０が「ロック待機位置」に設定されると、ロックハンドル１１１の規制凹部１１７は、第２規制凹部１１７ｂが左右水平に伸び、スライド凹部１１７ｃが右端側に位置して配設される。そこで、ケース蓋部材６０を閉じて右方にスライドさせると、逃げ溝１２７の右端側に没入した規制凸部の前端部１３７ｔが、溝内を右端側から蓋側収容部１２０に向かって相対移動し、ケース閉止状態となるスライド右端位置において第２規制凹部１１７ｂとスライド凹部１１７ｃとが交わる交差部に配設される。
【００７０】
このとき、「ロック待機位置」にあるロック部材１１０は、上記規制凸部の前端部１３７ｔと第２規制凹部１１７ｂとの係合によりロックハンドル１１１の回動が規制されるとともに、蓋側収容部１２０における蓋側ピン係合溝１２１及び蓋側ピン受容溝１２２（導出溝１２２ｆ）とロックピン１１５との係合により、後方への移動のみが許容された状態になっている。そこで、操作部の指標１１８とケース本体の合いマーク６８とが対向したロック待機位置にあるロック部材１１０（図２を参照）について、操作部１１３を手で押圧して後方に移動させると、蓋側収容部１２０から突出した軸部１１２が本体側収容部１３０に嵌入し、ロックピン１１５の基端部が蓋側ピン受容溝１２２から本体側ピン受容溝１３２に進入し、ロックピン１１５の先端部が蓋側ピン係合溝１２１から本体側ピン係合溝１３１に進入する。
【００７１】
そして、「ロック待機位置」から所定ストローク後方に移動した「ロック位置」において、ロックピン１１５の先端部が本体側ピン係合溝のロック係合溝１３１ｃに突出し、ロックピン先端部と前方規制壁１３１ｂとの係合、及び軸端と底板１４５との当接により前後方向への移動が規制される。ロック位置では、ガイド凹部１１７ｃと規制凸部１３７とが係合しており、ロック部材１１０は、前後移動及び回動の両方が規制された状態で保持される。
【００７２】
こうしてロック部材１１０がロック位置に設定されると、このロック部材１１０により本体側係合部５５と蓋側係合部６５とが係合連結され、基板ケースが閉止施錠された閉鎖状態に保持される。この閉鎖状態では、ロックハンドル１１１の前方への移動がロックピン１１５と前方規制壁１３１ｂとの係合により規制されており、ロック部材１１０を前方に引き抜くためにはロックピン１１５を剪断する必要である。従って、こじ開け時に基板ケースＢＣが破損しない限度でロックピンに作用すると想定される剪断力に応じて、ロックピン１１５の材質及び直径を設定することにより、ロック部材１１０の引き抜きを困難とすることができる。また、ロックハンドルの軸部１１２が蓋側収容部１２０と本体側収容部１３０とに跨って嵌入されているため、ケース本体部材５０に対してケース蓋部材６０をスライドさせることも不可能である。従って、ロック位置に設定されたロック部材１１０によって基板ケースＢＣが強固な閉鎖状態に保持される。
【００７３】
特に、本実施形態の不正開放防止機構では、ロックハンドル１１１、ロックピン１１５、本体側収容部１３０等を金属材料により形成している。このため、小型の構成で強引なこじ開けに対する耐力が高い不正改造防止機構を提供できるとともに、本体側係合部１３０の側方からドリル等の機械的手段により孔をあけ、あるいは、はんだごてやヒートカッタ等の熱的手段により孔をあけて、ロックピン１１５とロック係合溝１３１ｃとの係合を解除させるような不正行為を効果的に防止することができる。
【００７４】
また、軸部１１２の前端に、軸部の外径よりも大径で蓋側係合部６５の前面を覆うような操作部１１３を設けているため、ロック部材１１０の回動及び押し込み操作の操作性を向上させるとともに、蓋側係合部６５の前方から上記同様の機械的、熱的手段によりロックピン１１５とロック係合溝１３１ｃとの係合を解除させるような不正行為を効果的に防止することができる。さらに、本体側収容部１３０に、受容筒部１４２の後面側を塞ぐ金属製の底板１４５を設けているため、基板ケースＢＣが遊技機に装着された状態で改造状況を発見しにくい本体側係合部５５の後方（基板ケースＢＣの後面側）から孔をあけ、ロックピン１１５とロック係合溝１３１ｃとの係合を解除させるような不正行為を効果的に防止できる。
【００７５】
このように、強固な閉鎖状態に保持された基板ケースＢＣを開放する際には、蓋側係合部６５と蓋本体６１との間に形成された連結部６４をニッパ等の工具により切断し、本体側係合部５５と連結された状態の蓋側係合部６５を切り離す。これにより、ロック部材１１０で本体側係合部５５と連結された蓋側係合部６５が蓋本体６１と切り離され、切り離された蓋側係合部６５を残した状態で、蓋本体６１を左方にスライドさせてケース蓋部材を開放することができる。基板ケースＢＣには、基板ケースＢＣを開放した痕跡（履歴）が明瞭に残ることになる。
【００７６】
一方、ケース閉止状態において「アンロック位置」にあるロック部材１１０は、蓋側収容部１２０において蓋側ピン係合溝１２１（前方規制壁１２１ｂ）及び蓋側ピン受容溝１２２（後方規制壁１２２ｂ）とロックピン１１５との係合により前後方向の移動が規制され、左右水平に伸びて配設された第１規制凹部１１７ａと規制凸部の前端部１３７ｔとの係合によりロックハンドル１１１の回動が規制されて、前後移動及び回動が規制された状態に保持される。
【００７７】
すなわち、「アンロック位置」に設定されている未使用のロック部材１１０は、ケース閉止状態にされると、前後移動も回動もできない状態で蓋側係合部６５に保持される。従って、既に他のロック部材により閉鎖保持された基板ケースＢＣについて、誤って他の未使用のロック部材をロック位置に移動させて二重ロックしてしまうようなことがなく、誤操作を確実に防止できる構成になっている。なお、アンロック位置にあるロック部材では、ガイド凹部１１７ｃが鉛直上方に位置しており、第１規制凹部１１７ａの溝底部と規制凸部の前端部１３７ｔとの前端との関係においても、ロック部材１１０の後方移動が規制される。従って、例えばロックハンドル１１１の操作部１１３をハンマーで叩打するような強引な悪戯行為があっても、アンロック位置のロック部材が本体側収容部１３０に嵌入されてしまうようなことがない。
【００７８】
ここで、全てのロック部材が「アンロック位置」の状態では基板ケースを閉鎖することができないが、この場合には基板ケースが閉鎖されていないため、一旦ケース蓋部材６０をスライド左端位置まで移動させて、規制凹部１１７と規制凸部の前端部１３７ｔとの係合を解除し、いずれか一箇所のロック部材を９０度回動して「ロック待機位置」に設定し、以降ロック操作を行えばよい。この際、基板ケースＢＣを開放してもロック部材１１０が「アンロック位置」または「ロック待機位置」で蓋側係合部６５に保持されているため、基板交換等の作業中にロック部材１００を誤って紛失させてしまうようなこともない。
【００７９】
また、ロックハンドル１１１の操作部１１３に指標１１８が設けられており、この指標１１８が指す方向を確認することにより、ロック部材１１０が「アンロック位置」にあるか「ロック待機位置」にあるかを一目で認識でき、この指標位置と操作部１１３の前後方向位置により、基板ケースＢＣの前方からロック部材１１０がアンロック位置・ロック待機位置・ロック位置のいずれにあるかを直感的に判断できる。
【００８０】
なお、操作部の指標１１８を確認せず、ロック部材１１０がアンロック位置とロック待機位置との間の角度位置にある状態で、ケース蓋部材６０を閉じようとする場合が考えられる。しかしながら、このような状態では、軸部後端の規制凹部１１７は、第１規制凹部１１７ａ及び第２規制凹部１１７ｂのいずれも左右水平にならず、斜めに傾いた状態で移動される。そのため、ケース蓋部材６０を右方にスライドさせると、相対移動する規制凸部の前端部１３７ｔが第１規制凹部１１７ａと第２規制凹部１１７ｂとの間の軸端部に当接し、ケース蓋部材６０をスライド右端位置まで移動できない。
【００８１】
このとき、ケース本体部材５０とケース蓋部材６０とは、本来前後に重なるべき蓋側係合部６５と本体側係合部５５とが重ならずに左右にずれた状態になる。このため、作業者は基板ケースＢＣがケース閉止状態にならないことを直ちに把握して、中途半端な角度設定のロック部材１１０をアンロック位置またはロック待機位置に是正することができる。これにより、基板ケースの封止作業に際してロック部材の誤設定を有効に防止することができる。
【００８２】
従って、以上説明したような不正開放防止機構１００によれば、制御基板の保守作業等に際して特殊工具を用いたりロック部材１１０を紛失したりすることなく容易に基板ケースＢＣを再封止できるとともに、強引なこじ開けに対する耐力の高い、遊技機用の不正開放防止機構を提供することができる。
【００８３】
なお、実施形態では、ロック部材１１０の回動角度位置を視覚により判別可能な識別手段として、円盤状の操作部１１３の前面に外方を向く三角形の指標１１８を形成した構成例を示したが、指標１１８はドットや矢印、打ち抜きなど任意の形態とすることができ、また例えば、操作部１１３の形状自体を三角形状や矢印形状にするなどにより、ロック部材１１０の回動角度位置を認識可能な形態であればよい。また、本発明をパチンコ機の基板ケースに適用した事例について説明したが、スロットマシンやアーケードゲーム機などの他の遊技機の基板ケースに適用することができ、同様の効果を得ることができる。
【図面の簡単な説明】
【００８４】
【図１】ケースを開放した状態における基板ケースの斜視図である。
【図２】ケースを閉止した状態における基板ケースの斜め前方からの斜視図である。
【図３】基板ケース及び不正開放防止機構の斜め前方からの分解斜視図である。
【図４】基板ケース及び不正開放防止機構の斜め後方からの分解斜視図である。
【図５】図２におけるV矢視方向に見た基板ケースの底面図である。
【図６】ロック部材の(ａ)左側面図、(ｂ)正面図、(ｃ)右側面図である。
【図７】ロックピンの摺動軸を含む面でのロック部材の代表断面図（図６(ｂ)におけるVII−VII矢視の断面図）である。
【図８】図６(ｃ)におけるVIII矢視の軸部の背面図である。
【図９】蓋側係合部をケース蓋部材の背面側から見た斜視図である。
【図１０】蓋側係合部をケース蓋部材の前面側から見た斜視図である。
【図１１】本体側収容部材の(ａ)左側面図、(ｂ)正面図、(ｃ)右側面図である。
【図１２】本体側収容部材を斜め前方から見た斜視図である。
【図１３】本体側収容部材を斜め後方から見た斜視図である。
【図１４】本発明に係る基板ケースの不正開放防止機構が適用される遊技機の一例として示すパチンコ機の正面図である。
【図１５】上記パチンコ機の背面図である。
【符号の説明】
【００８５】
３１  電源基板（制御基板）              ３２  発射制御基板（制御基板）
３３  主制御基板（制御基板）            ３５  画像制御基板（制御基板）
ＢＣ  基板ケース
５０  ケース本体部材                    ５１  ケース本体
５２  本体側ヒンジ構造                  ５３  本体側閉止保持突起
５４  連結部                            ５５  本体側係合部
６０  ケース蓋部材                      ６１  蓋本体
６２  蓋側ヒンジ構造                    ６３  蓋側閉止保持突起
６４  連結部                            ６５  蓋側係合部
６８  合いマーク
１００  不正開放防止機構
１１０  ロック部材                      １１１  ロックハンドル
１１２  軸部                            １１３  操作部
１１５  ロックピン                      １１６  コイルスプリング（付勢手段）
１１７ａ  第１規制凹部（回動規制手段）  １１７ｂ  第２規制凹部（回動規制手段）
１１７ｃ  ガイド凹部                    １１８  指標
１２０  蓋側収容部                      １２１  蓋側ピン係合溝
１２１ｂ  前方規制壁                    １２１ｕ  上方の回動規制壁
１２１ｄ  下方の回動規制壁              １２２  蓋側ピン受容溝
１２２ｂ  後方規制壁                    １２２ｕ  上方の回動規制壁
１２２ｄ  下方の回動規制壁              １３０  本体側収容部
１３１  本体側ピン係合溝                １３１ｂ  前方規制壁
１３１ｃ  ロック係合溝                  １３７  規制凸部（回動規制手段）
１４０  本体側収容部材                  １４２  受容筒部
１４５  底板（低部）
【図１】
0005105365.tif 000002
【図２】
0005105365.tif 000003
【図３】
0005105365.tif 000004
【図４】
0005105365.tif 000005
【図５】
0005105365.tif 000006
【図６】
0005105365.tif 000007
【図７】
0005105365.tif 000008
【図８】
0005105365.tif 000009
【図９】
0005105365.tif 000010
【図１０】
0005105365.tif 000011
【図１１】
0005105365.tif 000012
【図１２】
0005105365.tif 000013
【図１３】
0005105365.tif 000014
【図１４】
0005105365.tif 000015
【図１５】
0005105365.tif 000016